(57)【要約】【課題】部品点数を増やすことなく簡便な構成で、着用感やファッション性を損なうこともなく、直射日光や反射光を好適に遮ることができるキャップを提供する。【解決手段】前立て１３は、フレーム部１５とレンズ部１４とにより構成され、正面視で略矩形状に形成されたフレーム部１５に周囲を囲まれるようにレンズ部１４が縫着されている。前立て１３は、その下縁部分がクラウン１１の底部周縁部分に縫着されおり（縫着部１７）、その縫着部１７を支点（軸）として回動させることができるようになっている。具体的には、縫着部１７付近を折り曲げることにより、前立て１３をクラウン１１の内側から下方外側に引き出して露出させ、サングラスとして利用できる。【選択図】図４
2017095821.tif 000002
【特許請求の範囲】
【請求項１】
クラウンと、
前記クラウンの底部周縁の前方部分に取り付けられた鍔と、
前記クラウンの底部周縁の前方部分内側に接合されるものであって、その接合部を支点として回動可能とし前記クラウンから下方に引き出して露出させることが可能な前立てと、
を備えたキャップであって、
前記前立ての一部又は全部が可撓性を有するレンズにより構成されたことを特徴とするキャップ。
【請求項２】
前記前立て部は、前記クラウンの底部周縁の形状に沿って湾曲し、前記接合部を支点として回動させたときに、前記クラウンの内側に収容した状態の湾曲方向と前記クラウンから露出した状態の湾曲方法とが逆転することを特徴とする請求項１に記載のキャップ。
【請求項３】
前記レンズは、偏光板又はＵＶカットレンズにより構成されたことを特徴とする請求項１又は２に記載のキャップ。
【請求項４】
前記前立て部は、メッシュと該メッシュに固着された前記レンズとにより構成されたことを特徴とする請求項１乃至３のいずれか１項に記載のキャップ。
【請求項５】
前記前立て部は、周縁部の一部又は全部が合成ゴムにより構成されたことを特徴とする請求項１乃至４のいずれか１項に記載のキャップ。
【請求項６】
前記前立て部は、周縁部の一部又は全部を伸縮性を有する生地により包むことにより構成されたことを特徴とする請求項１乃至５のいずれか１項に記載のキャップ。
【発明の詳細な説明】
【技術分野】
【０００１】
本発明は、鍔付きの帽子であるキャップに係り、特に、サングラス等のレンズを一体的に備えたキャップに関する。
【背景技術】
【０００２】
近年、各種のアウトドアスポーツが盛んとなっており、ゴルフ、野球、テニス、釣り、スキー、キャンプ、ウォーキング、マラソン、トレッキング等、多種多様のスポーツが楽しまれている。このようなアウトドアスポーツにおける必携品の一つに帽子があり、その帽子の一種として、例えば、クラウン（帽子における山の部分）とその底部周縁の前方部分に突出するように取り付けられた鍔とから構成されたキャップ型帽子（以下、キャップという。）が知られている。
また、このキャップの中には、クラウンの特に前面部分の型崩れを防止するため、保形性を有するメッシュ素材等で形成された前立てをクラウンの底部周縁の前方部分内側に取り付けたものもある。この前立ては、例えば、横長の矩形状に形成されており、その下縁をクラウンの底部周縁に縫着することによって取り付けられている。そして、通常、前立てはクラウンの内側に収容されているが、縫着部分付近を折り返すことによってその一部を下方に下げて引き出し、クラウンから露出させることもできる。
【０００３】
ところで、屋外でアウトドアスポーツ等をしているときに、キャップを着用していても、直射日光、地面や水面からの反射光等がまぶしいと感じるときがある。そのような場合、まぶしさを防ぐために、帽子とは別にサングラスを着用して直射日光や反射光を遮ることが一般的によく行われている。
しかし、そのためには、サングラスを別途準備して保管や携帯する必要があったり、そのサングラスを取り出す必要があったり等、状況によってはわざわざサングラスを着用することが面倒で不便な場合も多い。また、アウトドアスポーツ等で体を活発に動かす場合には、着用しているサングラスが邪魔になったり、さらには外れたりずれたりするという不都合もある。
【０００４】
そこで、上記のような不便さや不都合を解消するため、従来から、サングラスを備えた帽子が種々提案されている。
例えば、特許文献１には、庇（鍔）の内側にヒンジ結合体を取り付け、サングラスをそのヒンジ結合体によって折り畳み可能に設置した帽子が記載されている。
また、特許文献２には、帽子本体にスライド支持体を取り付け、そのスライド支持体に沿って帽子本体の前面表側に上下方向にスライド可能に固定されるサングラス等の眼鏡を備えた帽子が記載されている。
【先行技術文献】
【特許文献】
【０００５】
【特許文献１】特開２００３−０４９３１４号公報
【特許文献２】特開２００７−１３８３５０号公報
【発明の概要】
【発明が解決しようとする課題】
【０００６】
しかしながら、特許文献１や特許文献２では、帽子にサングラスを設置する場合、ヒンジ等の結合部材やスライド支持体等の部材や装置を別途設ける必要がある。そのため、部品点数が増えて構造が複雑になったり、それらの部材や装置の重さを支えるために鍔が折れ曲がったり、さらには、帽子自体が重くなったり着用感が損なわれたり等の不都合が生じる。また、それらの部材や装置のために見映えも悪くなり、ファッション性が損なわれるという不都合もある。
【０００７】
本発明は、上記の課題に鑑みてなされたものであり、本発明の目的は、部品点数を増やすことなく簡便な構成で、着用感やファッション性を損なうこともなく、直射日光や反射光を好適に遮ることができるキャップを提供することにある。
【課題を解決するための手段】
【０００８】
前記課題は、本発明のキャップによれば、クラウンと、前記クラウンの底部周縁の前方部分に取り付けられた鍔と、前記クラウンの底部周縁の前方部分内側に接合されるものであって、その接合部を支点として回動可能とし前記クラウンから下方に引き出して露出させることが可能な前立てと、を備えたキャップであって、前記前立ての一部又は全部が可撓性を有するレンズにより構成されたことにより解決される。
【０００９】
このように、本発明では、サングラスを別途所持したり着用したり等の面倒な手間を省くことができることは勿論、従来からキャップに備えられていたクラウンの前面部分の型崩れを防止するための前立ての一部又は全部をレンズにより構成し、サングラスとして有効に活用することにより、ヒンジ等の結合部材やスライド支持体等のキャップにとって不必要な部材や装置を別途設ける必要がない。そのため、部品点数が増えて構造が複雑になることもなく、簡便な構成でキャップにサングラス機能を付加することができる。しかも、サングラス機能を付加することによって、キャップのファッション性や着用感を損なうこともない。
また、サングラス（実際にはサングラスを取り付けるための部材や装置）の重さで鍔が折れ曲がってファッション性が損なわれることもなく、キャップ自体が重くなったりすることもないので快適な着用感を得ることができる。
さらに、サングラスを使用しないときには、従来の前立てのようにクラウンの内側に収容することができるので、サングラスが邪魔にならず、通常のキャップとしても何ら不都合なく利用することもできる。特に、本発明のレンズは可撓性を有するので、従前の前立てと同様、クラウンの内側から引き出したり、クラウンの内側に収容したりすることが容易に可能である。
【００１０】
また、前記前立て部は、前記クラウンの底部周縁の形状に沿って湾曲し、前記接合部を支点として回動させたときに、前記クラウンの内側に収容した状態の湾曲方向と前記クラウンから露出した状態の湾曲方法とが逆転すると好適である。
このように、前立てをクラウンの形状に合わせて湾曲させた略球面状とすることにより、収容時にクラウン内側に綺麗に沿わせることが可能となり、型崩れを好適に防止することができる。一方、クラウンの形状に合わせて湾曲させると、回動させてサングラスとして使用するときに不便且つ不恰好になるが、本発明では可撓性を有するレンズにより構成されていることから収納時と露出時の湾曲方向が逆転するため、ファッション性を損なうことなく、快適な着用感を得ることができる。
【００１１】
また、前記レンズは、偏光板又はＵＶカットレンズにより構成されると、好適である。
このように、レンズ部分を、特定方向に偏光した光だけに限定して通過させる板とすることにより、光の乱反射を好適に防ぎ、より良好な視界を得ることができる。
また、レンズ部分を、紫外線を遮断するＵＶカットレンズとすることにより、紫外線による目への悪影響を好適に防止することができる。
【００１２】
また、前記前立て部は、メッシュと該メッシュに固着された前記レンズとにより構成されると、好適である。
このように、前立ての一部、例えば、レンズの周囲を形成するフレームに相当する部分をメッシュとすることにより、通気性が保たれるうえ、さらなる軽量化が可能となるので、より快適に使用することができる。
【００１３】
さらに、前記前立て部は、周縁部の一部又は全部が合成ゴムにより構成されたり、周縁部の一部又は全部を伸縮性を有する生地により包むことにより構成されると、好適である。
このように、前立ての周縁部の一部又は全部、すなわち、顔に直接あたる部分をシリコーンゴムやクロロプレンゴム等の合成ゴムにより構成することにより、端部のほつれを防止することができるうえ、ソフトな肌触りとなり、サングラスの装着感を向上させることができる。また、違和感も生じず好適に前立ての周縁部を顏に密着させることができるので、ゴーグルのように花粉やほこり等の異物が目に入ることも好適に防止することができる。
また、前立ての周縁部の一部又は全部、すなわち、顔に直接あたる部分をストレッチ性を有するバインダーテープにて包んで縫製することにより（バインダー始末）、端部のほつれを防止することができるうえ、ソフトな肌触りとなり、サングラスの装着感を向上させることができる。また、違和感も生じず好適に前立ての周縁部を顏に密着させることができるので、ゴーグルのように花粉やほこり等の異物が目に入ることも好適に防止することができる。
【発明の効果】
【００１４】
本発明のキャップによれば、部品点数を増やすことなく簡便な構成で、着用感やファッション性を損なうこともなく、直射日光や反射光を好適に遮ることが可能となる。
【図面の簡単な説明】
【００１５】
【図１】本発明に係るキャップを示す正面図である。
【図２】本発明に係るキャップを示す正面図である。
【図３】本発明に係るキャップの要部を示す部分拡大断面図である。
【図４】本発明に係るキャップの要部を示す部分拡大断面図である。
【図５】本発明に係るキャップの他の実施形態を示す正面図である。
【発明を実施するための形態】
【００１６】
＜本実施形態＞
以下、本発明の一実施形態（本実施形態）について図面を参照して説明する。
本実施形態は、鍔付きの帽子であるキャップに関するものであり、特に、クラウンの前面部分の型崩れを防止するための前立てにサングラス機能を備え、部品点数を増やすことなく簡便な構成で、着用感やファッション性を損なうこともなく、直射日光や反射光を好適に遮ることができるキャップの発明に関するものである。
【００１７】
図１及び図２は、キャップ１０の一例を示す正面図であり、特に、図２は、前立て１３をクラウン１１から引き出して露出させた状態を示す正面図である。また、図３及び図４は、キャップ１０の要部である前方部分を示す部分拡大断面図であり、特に、図４は、前立て１３をクラウン１１から引き出して露出させた状態を示す部分拡大断面図である。
【００１８】
図１乃至図４に示すように、キャップ１０は、キャップ１０の山の部分を形成するものであって着用者の頭部が入るクラウン１１と、クラウン１１の底部周縁の前方部分から前方向に突出するように取り付けられた鍔１２と、クラウン１１の底部周縁の前方部分の内側に取り付けられた前立て１３と、から主に構成されている。
【００１９】
クラウン１１は、例えば、略二等辺三角形状の複数枚の生地（以下、レンゲという。）をそのレンゲの側縁に沿って隣接するレンゲ同士を互いに縫着することにより、着用者の頭部の形状に合致するようにお椀形状に構成されている。
クラウン１１を形成するレンゲの枚数は、特に限定されないが、通常は６〜８枚とされる。例えば、本実施形態のキャップ１０においては、左前部、右前部、左中部、右中部、左後部及び右後部の計６枚のレンゲによってクラウン１１が形成されている。
なお、それぞれのレンゲは、互いの生地を直に縫着することとしてもよいが、クラウン１１の内側に配した裏打ち用の帯板状部材を介して縫着すれば、クラウン１１の強度を高めることもできる。
【００２０】
また、レンゲは、全て同じ生地とする必要はなく、例えば、着用者の前頭部が接触する部分のレンゲ（左前部及び右前部）は網目密度が高く強度の強いメッシュ素材から成る生地とし、それ以外のレンゲ（左中部、右中部、左後部及び右後部）は網目の粗い網状のメッシュ素材から成る生地とすることができる。
メッシュ素材としては、編地や織地などの他、経糸と緯糸とを互いに接着したもの等であってもよい。また、メッシュ素材の繊維の材質は、特に限定されないが、通常、ポリエステル、ポリアミド、ポリプロピレン、ポリエチレン等の合成樹脂繊維が使用される。これらの合成樹脂繊維であれば、メッシュ素材の保形性を向上させるだけでなく、メッシュ素材をシワが形成されにくいものとすることができる。
【００２１】
本実施態様のキャップ１０においては、クラウン１１の内側にビン皮１６が設けられている。
ビン皮１６は、図３及び図４に示すように、クラウン１１の内側の底部周縁に沿った部分に縫着されている。ビン皮１６は、着用者の頭部の汗を吸収することができる汗取りの役割を担うものであり、吸水性と速乾性に優れた素材を利用する。
【００２２】
鍔１２は、庇やバイザー等とも呼ばれるものであり、日除けの役割を担うものである。
鍔１２は、図１乃至図４に示すように、クラウン１１の底部周縁の前方部分から前方向に突出するように取り付けられている。具体的には、鍔１２の端部をビン皮１６と共にクラウン１１に縫着することにより取り付けられている。
鍔１２は、通常、クラウン１１よりも固く形成されており、鍔１２の上側に位置する表地と鍔１２の下側に位置する裏地の裁断部分を袋状に縫い合わせ、その中に固い芯部材を包んで縫合している。
【００２３】
本実施形態のキャップ１０は、クラウン１１と鍔１２の他、クラウン１１の前面部分の内側にサングラス機能を有する前立て１３が備えられている。
前立て１３は、一般的には、キャップ１０の前面部分の型崩れ防止、及び、前面部分の刺繍やマークが着用したときに後方へ寝ないように補強するための整形部材であり、クラウンとの接合部となる縫着部１７において、クラウン１１とビン皮１６との間に挟まれた状態で、ビン皮１６の内側に縫着されて取り付けらえている。なお、前立て１３とクラウン１１との接合は、縫着に限定されず、例えば、接着や溶着等であってもよい。
【００２４】
前立て１３の形状は、クラウン１１の前面部分に沿う形状のものであれば特に限定されない。例えば、本実施形態では、前立て１３は、その概形を正面視で略矩形状としながらも、クラウン１１の前面部分に合せて、全体を略球面状に湾曲させている。
これにより、前立て１３をクラウン１１の前面部分内側に綺麗に沿わせることが可能となり、クラウン１１の内部に収容した場合に前立て１３とクラウン１１との間に隙間が形成されたり、前立て１３やクラウン１１に不恰好なシワや折り目が形成されたりするのを防ぐことができる。
前立て１３の高さ（前立て１３の頂部から下縁に下ろした垂線の前立て１３の湾曲に沿った長さ）と、前立て１３の横幅（前立て１３の下縁のその湾曲に沿った長さ）は、キャップ１０の用途やサイズなどを考慮して適宜決定される。例えば、本実施態様のキャップ１０においては、前立て１３の高さは約８ｃｍ、横幅は約１６ｃｍとなっている。
【００２５】
本実施形態の前立て１３は、フレーム部１５とレンズ部１４とにより構成され、縫着部１８において、正面視で略矩形状に形成されたフレーム部１５に周囲を囲まれるようにレンズ部１４が縫着されている。
なお、本実施形態では、縫着部１８において、フレーム部１５にレンズ部１４の周縁部分が縫着されることにより固着されているが、フレーム部１５とレンズ部１４との固着方法は、これに限定されず、例えば、接着や溶着等であってもよい。
【００２６】
フレーム部１５は、メッシュ素材からなり、その周縁部にはシリコン樹脂製等のゴム状成形物が取り付けられている。前立て１３の周縁部を上記のような合成ゴムにより形成することにより、前立て１３をサングラスとして使用した際に着用者の顏の表面に接触しても肌触りがよく、また、前立て１３の周縁部が着用者の顏に好適に密着するので、花粉やほこり等の異物が目に入ることも防止することができる。
なお、フレーム部１５の周縁部は、ストレッチ性のバインダーテープにてバインダー始末を施すこととしてもよい。
【００２７】
レンズ部１４は、衝撃に強くて薄く軽い素材、例えば、ＣＲ３９、ポリカーボネイト、アクリル等の素材から成る可撓性を有する程度の厚みのフィルムから構成される。
また、レンズ部１４は、サングラスとしての日光の量を軽減して目を保護する機能を担うため、黒色や灰色等に適宜着色されている。さらに、紫外線から目を保護するためのＵＶカット機能や、その他、耐傷性、撥水・撥油性、防曇性等を向上させるための各種コーティングを施してもよい。
【００２８】
また、レンズ部１４は、偏光板（偏光レンズ）とすることもできる。すなわち、特定方向に偏光した光だけに限定して通過させる板とすることができる。例えば、レンズの中にスリット状になった偏光膜を挟み込んだものであってもよい。
このような偏光板であれば、乱反射光を好適に抑える構成であるため、例えば、釣りの際には、乱反射して眩しい水面のぎらつきを軽減して水底や魚影等が見極めやすくなり、ゴルフの際には、グリーンに反射する光を軽減して芝目が読みやすくなり、ドライブの際には、フロントガラスに反射する光を軽減して安全且つ快適に運転できる等と、各種アウトドアスポーツで利用することにより適している。
【００２９】
上記構成の前立て１３は、その下縁部分がクラウン１１の底部周縁部分に縫着されている（縫着部１７）。一方、前立て１３における下縁部分の縫着部１７を除いた部分は、クラウン１１に対して縫着されていない。このため、前立て１３は、その縫着部１７を支点（軸）として回動させることができるようになっており、縫着部１７がヒンジの役割を担っている。具体的には、図４に示すように、下縁部分の縫着部１７付近を折り曲げることにより、縫着部１７を支点として回動させ、前立て１３をクラウン１１の内側から下方外側に引き出して露出させる。
特に、本実施形態での前立て１３はレンズ部１４を備えているので、クラウン１１から引き出して露出させた前立て１３は、サングラスとして利用できる。
また、引き出して露出させた前立て１３は、その周縁部が着用者の顏の表面に密着する。このため、前立て１３は、着用者の目を覆うゴーグルとしての役割を担うこともできる。
【００３０】
また、本実施形態では、前立て１３を構成するフレーム部１５はメッシュ素材であり、レンズ部１４も可撓性を有するレンズにより構成することによって、前立て１３の湾曲方向の逆転をスムーズに行うことができ、前立て１３をクラウン１１内側から簡単に引き出すことができる。
具体的には、略球面状に湾曲した前立て１３をクラウン１１の内部に収容された状態から、図２及び図４に示すように、クラウン１１から引き出して露出した状態とするとき、前立て１３の中央部が外側（前立て１３がクラウン１１の内部に収容された際にクラウン１１に対向する側）から内側（前立て１３がクラウン１１の内部に収容された際に着用者の頭部に対向する側）に押されてその湾曲方向（凹凸）が逆転する。
このように、湾曲方向が逆転するので、収容時には、クラウン１１の内側に綺麗に沿わせることが可能となり、型崩れを好適に防止することができるうえ、引き出して露出させたときには、サングラスとして使用する際に不便な形状や不恰好な形状とならず、ファッション性を損なうことなく、快適な着用感を得ることができる。
なお、従来のサングラスを備えた帽子や、フレームを成型してレンズを入れる形状の通常のサングラスを帽子に取り付けたものであれば、サングラス部分が撓むことがないので本実施形態のような動作をすることができない。
【００３１】
なお、本実施態様のキャップ１０においては、図３や図４に示すように、ビン皮１６を前立て１３よりも着用者の頭部に近い側に配したが、この場合には、前立て１３をクラウン１１から引き出して下ろした際にビン皮１６が捩れる。これを防ぐために、ビン皮１６を前立て１３よりも外側（着用者の頭部から遠くなる側）に配することとしてもよいし、前立て１３に当る部分に沿ってビン皮１６を切断しておいてもよい。このような構成にすれば、前立て１３をクラウン１１から引き出して下ろした際も、ビン皮１３６が捩れないようにすることができる。
【００３２】
以上のように、本実施形態のキャップ１０では、クラウン１１の前面部分の型崩れを防止するための前立て１３の一部をレンズ部１４とし、その前立て１３をサングラスとして有効に活用している。
これにより、ヒンジ等の結合部材やスライド支持体等のキャップ１０にとって不必要な部材や装置を別途設ける必要がない。そのため、部品点数が増えて構造が複雑になることもなく、簡便な構成でキャップ１０にサングラス機能を一体的に付加することができる。しかも、サングラス機能を付加することによって、キャップ１０のファッション性や着用感を損なうこともない。
また、前立て１３をサングラスとして使用しないときには、クラウン１１の内側に収容することができるので邪魔にならず、通常のキャップ１０としても何ら不都合なく利用することもできる。特に、レンズ部１４は可撓性を有するので、通常の前立てと同様、クラウン１１の内側から引き出したり、クラウン１１の内側に収容したりすることが容易に可能である。
【００３３】
＜他の実施形態＞
次に、本発明の他の実施形態に係るキャップ１１０について説明する。
図５は、他の実施形態に係るキャップ１１０の使用状態を示す正面図であり、特に、前立て１１３をクラウン１１１から引き出して露出させた状態を示す正面図である。
なお、以下の説明において、特徴の差異を明確にするため、上記実施形態と重複する内容については説明を省略する。
【００３４】
他の実施形態のキャップ１１０は、上述の実施形態とは、前立て１１３の形状が異なる。すなわち、キャップ１１０の前立て１１３は、着用者の目の位置に合せて左右二箇所に配置されたレンズ部１１４と、そのレンズ部１１４の周囲を囲うように形成されたフレーム部１１５とから構成されている。
また、レンズ部１１４とフレーム部１１５とは、上述の実施形態と同様、フレーム部１１５にレンズ部１１４の周縁部分が縫着されることにより固着されているが、フレーム部１１５とレンズ部１１４との固着方法は、これに限定されず、例えば、接着や溶着等であってもよい。
なお、クラウン１１の前面部分に合せて、全体を略球面状に湾曲させている点は、上述の実施形態と同様である。
【００３５】
また、フレーム部１１５はメッシュ素材からなるが、その周縁部にはシリコン樹脂製等のゴム状成形物（シリコンチューブ）が取り付けられている。前立て１３の周縁部を上記のような合成ゴムにより形成することにより、前立て１３をサングラスとして使用した際に、メッシュ部分の加工端面が着用者の顏の表面に直接接触することがなくなるので肌触りがよくなり、快適に着用することができる。
さらに、この他の実施形態においては、フレーム部１１５の面積が大きくなるが、メッシュ素材からなるフレーム部１１５は通気性を有するので、温度や湿度の高い日に前立て１３をサングラスとして長時間使用したとしても、着用者は目の付近が蒸れることもなく、快適に使用することができる。
【００３６】
なお、前立てはさらに種々の利用方法が可能である。
例えば、前立てのレンズ部を情報端末の画像を表示する表示装置として構成し、キャップをウェアラブルデバイス（帽子型ウェアラブルデバイス）とすることも可能である。
【００３７】
上記の実施形態では、主として本発明のキャップについて説明した。
ただし、上記の実施形態は、本発明の理解を容易にするための一例に過ぎず、本発明を限定するものではない。本発明は、その趣旨を逸脱することなく、変更、改良され得ると共に、本発明にはその等価物が含まれることは勿論である。
【符号の説明】
【００３８】
１０  キャップ
１１  クラウン
１２  鍔
１３  前立て
１４  レンズ部
１５  フレーム部
１６  ビン皮
１７  縫着部
１８  縫着部
【図１】
2017095821.tif 000003
【図２】
2017095821.tif 000004
【図３】
2017095821.tif 000005
【図４】
2017095821.tif 000006
【図５】
2017095821.tif 000007
【手続補正書】
【提出日】平成28年11月18日(2016.11.18)
【手続補正１】
【補正対象書類名】特許請求の範囲
【補正対象項目名】全文
【補正方法】変更
【補正の内容】
【特許請求の範囲】
【請求項１】
クラウンと、
前記クラウンの底部周縁の前方部分に取り付けられた鍔と、
前記クラウンの底部周縁の前方部分内側に接合されるものであって、その接合部を支点として回動可能とし前記クラウンから下方に引き出して露出させることが可能な前立てと、
を備えたキャップであって、
前記前立ての一部又は全部が可撓性を有するレンズにより構成されたことを特徴とするキャップ。
【請求項２】
前記前立ては、前記クラウンの底部周縁の形状に沿って湾曲し、前記接合部を支点として回動させたときに、前記クラウンの内側に収容した状態の湾曲方向と前記クラウンから露出した状態の湾曲方向とが逆転することを特徴とする請求項１に記載のキャップ。
【請求項３】
前記レンズは、偏光板又はＵＶカットレンズにより構成されたことを特徴とする請求項１又は２に記載のキャップ。
【請求項４】
前記前立ては、メッシュと該メッシュに固着された前記レンズとにより構成されたことを特徴とする請求項１乃至３のいずれか１項に記載のキャップ。
【請求項５】
前記前立ては、周縁部の一部又は全部が合成ゴムにより構成されたことを特徴とする請求項１乃至４のいずれか１項に記載のキャップ。
【請求項６】
前記前立ては、周縁部の一部又は全部を伸縮性を有する生地により包むことにより構成されたことを特徴とする請求項１乃至５のいずれか１項に記載のキャップ。
【手続補正２】
【補正対象書類名】明細書
【補正対象項目名】００１０
【補正方法】変更
【補正の内容】
【００１０】
また、前記前立ては、前記クラウンの底部周縁の形状に沿って湾曲し、前記接合部を支点として回動させたときに、前記クラウンの内側に収容した状態の湾曲方向と前記クラウンから露出した状態の湾曲方向とが逆転すると好適である。
このように、前立てをクラウンの形状に合わせて湾曲させた略球面状とすることにより、収容時にクラウン内側に綺麗に沿わせることが可能となり、型崩れを好適に防止することができる。一方、クラウンの形状に合わせて湾曲させると、回動させてサングラスとして使用するときに不便且つ不恰好になるが、本発明では可撓性を有するレンズにより構成されていることから収納時と露出時の湾曲方向が逆転するため、ファッション性を損なうことなく、快適な着用感を得ることができる。
【手続補正３】
【補正対象書類名】明細書
【補正対象項目名】００１２
【補正方法】変更
【補正の内容】
【００１２】
また、前記前立ては、メッシュと該メッシュに固着された前記レンズとにより構成されると、好適である。
このように、前立ての一部、例えば、レンズの周囲を形成するフレームに相当する部分をメッシュとすることにより、通気性が保たれるうえ、さらなる軽量化が可能となるので、より快適に使用することができる。
【手続補正４】
【補正対象書類名】明細書
【補正対象項目名】００１３
【補正方法】変更
【補正の内容】
【００１３】
さらに、前記前立ては、周縁部の一部又は全部が合成ゴムにより構成されたり、周縁部の一部又は全部を伸縮性を有する生地により包むことにより構成されると、好適である。
このように、前立ての周縁部の一部又は全部、すなわち、顔に直接あたる部分をシリコーンゴムやクロロプレンゴム等の合成ゴムにより構成することにより、端部のほつれを防止することができるうえ、ソフトな肌触りとなり、サングラスの装着感を向上させることができる。また、違和感も生じず好適に前立ての周縁部を顏に密着させることができるので、ゴーグルのように花粉やほこり等の異物が目に入ることも好適に防止することができる。
また、前立ての周縁部の一部又は全部、すなわち、顔に直接あたる部分をストレッチ性を有するバインダーテープにて包んで縫製することにより（バインダー始末）、端部のほつれを防止することができるうえ、ソフトな肌触りとなり、サングラスの装着感を向上させることができる。また、違和感も生じず好適に前立ての周縁部を顏に密着させることができるので、ゴーグルのように花粉やほこり等の異物が目に入ることも好適に防止することができる。